(57)【要約】      （修正有）【課題】予備スペースの少ないビル屋上の太陽電池アレイや広域で多くの太陽電池モジュールを用いた大型の発電システムの場合や、高所や広域に設置された太陽電池アレイ、また、比較的小規模な個人住宅の屋根に設置された太陽電池アレイであって、隣の家との間隔が狭く特殊カメラを地上から配置できない場合でも検査可能な検査方法を提供する。【解決手段】特殊カメラを設置したラジオコントロールヘリコプターにより、カメラを適当な位置に配置し太陽電池アレイの検査を行う。【選択図】図１
2016005426.tif 000002
【特許請求の範囲】
【請求項１】
特殊カメラを用いた撮影により太陽電池アレイを検査する装置であって、特殊カメラがラジオコントロールヘリコプターまたはラジオコントロール気球に設置されたことを特徴とする太陽電池アレイ検査装置および太陽電池アレイ検査方法。
【請求項２】
特殊カメラを用いた撮影がＥＬ撮影、ＰＬ撮影及び赤外線撮影の内、少なくとも一つ、または複数の撮影によることを特徴とする請求項１の太陽電池アレイ検査装置および太陽電池アレイ検査方法。
【請求項３】
特殊カメラの操作をラジオコントロールで行う手段を具備する請求項１〜２の太陽電池アレイ検査装置および太陽電池アレイ検査方法。
【請求項４】
特殊カメラが撮影した画像情報を無線で地上に伝達する手段と、撮影とほぼ同時に画像情報を地上で観察する手段を具備する請求項１〜３の太陽電池アレイ検査装置および太陽電池アレイ検査方法。
【発明の詳細な説明】
【技術分野】
【０００１】  本発明は、太陽電電池アレイの検査装置および太陽電池アレイの検査方法に関する。
【背景技術】
【０００２】  従来、太陽電池モジュールを屋外に設置し発電する太陽光発電システムにおいては、複数の太陽電池モジュールから構成される太陽電池アレイがビル屋上や個人住宅の屋根などの高所に設置される場合が多く、２０年もの長期の特性保証のため、システム全体の出力が低下した際、太陽電池モジュールを一つ一つ屋根等から取り外しＥＬ（ｅｌｅｃｔｒｏｌｕｍｉｎｅｓｃｅｎｃｅ）などの評価のテストをしなければ、不良モジュールを特定することが出来ず、長期保証をするビジネスの足かせとなっていた。【０００３】  近年、太陽電池アレイの検査のため、モジュールを一つ一つ取り外すことなく、不良モジュールを特定する方法として、雑誌“Ｐｈｏｔｏｎ  Ｉｎｔｅｒｎａｔｉｏｎａｌ  １−２０１３”Ｐ７８〜Ｐ８０にＤａｙＳｙやＬｕｍｉＳｏｌａｒＯｕｔｄｏｏｒなどのブランド名で紹介されているように、ＰＬ（Ｐｈｏｔｏｌｕｍｉｎｅｓｃｅｎｃｅ）やＥＬ（Ｅｌｅｃｔｒｏｌｕｍｉｎｅｓｃｅｎｃｅ）の画像を特殊カメラで太陽電池アレイを撮影する方法がある。また、“太陽光発電システムの不具合事例ファイル”（加藤和彦著）Ｐ３７〜Ｐ３８には赤外線カメラによる観察も紹介され、また、特開２０１３−３６７４７には、太陽電池アレイのどの位置の太陽電池モジュールがどの程度出力低下しているかを判断する方法が紹介されている。【０００４】  しかし、上記従来技術のカメラを用いて、不良モジュールを特定する方法では、太陽電池アレイから十分に離れた高所から被写体に対して適当な角度で撮影するには、限界があり、広域な太陽光発電システムやビルの屋上などの高所の太陽電池アレイの検査に支障を来していた。
【先行技術文献】
【０００５】
【特許文献１】特開２０１３−０３６７４７号公報
【非特許文献１】ＰＨＯＴＯＮ  Ｐｕｂｌｉｓｈｅｒ  ＧｍｂＨ発行  Ｐｈｏｔｏｎ  Ｉｎｔｅｒｎａｔｉｏｎａｌ  １−２０１３
【非特許文献２】加藤和彦著「太陽光発電システムの不具合事例ファイル」日刊工業新聞社２０１０年
【発明の概要】
【発明が解決しようとする課題】
【０００６】  本発明が解決しようとする問題点は、従来の方法では、適当な距離から適当な角度で太陽電池アレイの検査画像を撮影することが不可能という点である。
【課題を解決するための手段】
【０００７】  本発明の太陽電池アレイ検査装置は、特殊カメラをラジオコントロールヘリコプターまたはラジオコントロール気球に設置することにより、適当な位置にカメラを配置することができ、検査画像の撮影を適当な距離から適当な角度で行うことが可能となる。
【発明の効果】
【０００８】  本発明の太陽電池アレイ検査装置は、予備スペースの少ないビル屋上の太陽電池アレイや広域で多くの太陽電池モジュールを用いた大型の発電システムの場合であっても、十分な距離や角度からカメラ撮影が可能となり、高所や広域に設置された太陽電池アレイであっても、検査が簡単となる。また、比較的小規模な個人住宅の屋根に設置された太陽電池アレイであって、隣の家との間隔が狭く特殊カメラを地上から配置できない場合でも、本発明によれば、上空に特殊カメラを配置することにより、検査が可能となる。
【図面の簡単な説明】
【０００９】
【図１】図１は本発明の太陽電池アレイ検査装置および検査方法の実施形態を示した説明図である。
【図２】図２は従来の太陽電池アレイ検査装置および検査方法の実施形態を示した説明図である。
【発明を実施するための形態】
【００１０】  本発明の太陽電池アレイ検査装置にあっては、リモートコントロール、特にラジオコントロールで地上から操作できるヘリコプターに特殊カメラを設置して、必要な位置から撮影を行う。
【実施例１】
【００１１】  図１は、本発明一実施例の装置を用いて、個人住宅４に設置された太陽電池アレイ３の検査を行う実施形態図である。ＥＬ撮影用の特殊カメラ１を設置したラジオコントロールヘリコプター２を適当は位置に静止飛行させ、個人住宅４の屋根に設置された太陽電池アレイ３のＥＬイメージを撮影する。なお、検査は、パワーコンディショナーから電気的に切り離した太陽電池アレイ３に、電圧を印加することによって得られるルミネセンスを撮影することによるのが一般的である。本発明の太陽電池アレイ検査装置と検査方法によれば、最適の位置から特殊カメラによる撮影が可能であり、太陽電池アレイを構成する数十枚の太陽電池モジュールのすべてを一回の撮影によって検査することも可能となった。
【従来例１】
【００１２】  図２は、従来例の個人住宅４の屋根に設置された太陽電池アレイ３の検査装置および検査方法の実施形態図である。ＥＬ撮影用の特殊カメラ１は、カメラ保持スタンド５の先端に固定されているが、この方法では、特殊カメラ１を高い位置に保持することができず、一度に屋根の上に配置された太陽電池アレイ３を検査する事が出来ず、個人住宅のような小規模な場合でも、複数回の検査画像の撮影が必要である。また、隣接する住宅が近くにある等の場合は、カメラ保持ススタンド５を適当な場所に置くことが出来ず、検査そのものが不可能となる。さらに、高層ビルの屋上のほぼ全面に太陽電池アレイを敷き詰めたような場合、カメラ保持スタンドを配置する場所がなく、検査が不可能となり、パネルを一つ一つを検査しなければならない。
【産業上の利用可能性】
【００１３】  本発明は、ＥＬ撮影を利用した検査のみならず、ＰＬ撮影や赤外線撮影、さらにこれらの複数を利用した太陽電池アレイの検査に利用することができる。しかも、測定方法の改善がすすめば、一度に多くの太陽電池アレイを検査することも可能となり、１ＭＷ以上の発電のメガソーラー施設において、非常に有効な検査装置および検査方法となる。
【符号の説明】
【００１４】１    特殊カメラ
２    ラジオコントロールヘリコプター
３    太陽電池アレイ
４    個人住宅
５    カメラ保持スタンド
【図１】
2016005426.tif 000003
【図２】
2016005426.tif 000004